(57)【要約】【課題】ポートの数や番組サーバの動作状況を考慮することなく、要求されるサービスに応じて取り扱う放送番組データに対しポートを効率良く割り当てることが可能な放送サービス切替送出装置を提供する。【解決手段】上位制御部１３にて、番組サーバ１１とスイッチャー１２との間の入力ポート及び各サービス別の出力ポートを必要時にのみ割り当てるようにして、少数の入力ポート及び出力ポートをそれよりも多数のＨＤ映像信号及びＳＤ映像信号で共用できるようにし、これにより入力ポート及び出力ポートの有効利用率を高めるようにした。【選択図】      図１
2008283295.tif 000002
【特許請求の範囲】
【請求項１】
放送番組データを記録媒体に記録し、この記録媒体に記録された放送番組データを再生する番組サーバと、
取り扱う放送番組データの数の入力ポートと、及び放送及び番組編成に係わる複数のサービス分の出力ポートとを有し、前記番組サーバから再生出力される放送番組データを入力し、サービス別の出力ポートへ切替導出する切替スイッチと、
サービス指示入力に応じて、前記番組サーバと前記切替スイッチとの間の空き入力ポートを検出し、前記番組サーバから再生出力される放送番組データを空き入力ポート及び該当するサービスの出力ポートに割り当てるように前記番組サーバ及び前記切替スイッチを制御する制御手段とを具備したことを特徴とする放送サービス切替送出装置。
【請求項２】
前記切替スイッチの複数の入力ポートに番号が順に付されているとき、
前記制御手段は、送出系の放送番組データを前記切替スイッチに入力する場合に、前記複数の入力ポートのうち最小番号に対応する入力ポートから最大番号に対応する入力ポートに至るまで徐々に使用可能な空きポートを検出して該空きポートを送出系の放送番組データに割り当てることを特徴とする請求項１記載の放送サービス切替送出装置。
【請求項３】
前記制御手段は、プレビュー系の放送番組データを前記切替スイッチに入力する場合に、前記複数の入力ポートのうち最大番号に対応する入力ポートから最小番号に対応する入力ポートに至るまで徐々に使用可能な空きポートを検出して該空きポートをプレビュー系の放送番組データに割り当てることを特徴とする請求項２記載の放送サービス切替送出装置。
【請求項４】
前記制御手段は、前記サービス実行の終了時に、前記切替スイッチの該当する使用中の入出力ポートを開放することを特徴とする請求項１記載の放送サービス切替送出装置。
【発明の詳細な説明】
【技術分野】
【０００１】
この発明は、放送局内で番組サーバから再生出力される放送番組データを要求されるサービスに応じてスイッチャーにて切替送出する放送サービス切替送出装置に関する。
【背景技術】
【０００２】
周知のように、放送局内にあっては、例えばテレビジョン放送やラジオ放送の番組、文字やデータによる番組等の放送番組データをメモリに記憶し、任意のタイミングでメモリから放送番組データを再生する番組サーバが使用されている。
【０００３】
そして、上記放送番組データ（番組本編）を番組サーバより送出する場合に、番組サーバのポートとスイッチャーの入力を１対１、つまりポート毎に素材コードを割り当て、上位系（ＥＤＰＳ）にて管理していた。
【０００４】
また、送出系用のポートの他に、プレビュー業務用のポートも必要であり、地上デジタル放送の多サービス及び映像信号の種類がＨＤ（High Definition）／ＳＤ（Standard Definition）の２通りとなったことにより、これを十分に満足させるためには、相当数のポートが必要となる。なお、従来では、ＨＤとＳＤとで別々に番組サーバ及びスイッチャーを用意して、共通の制御システムで番組サーバ及びスイッチャーを制御する自動送出システムが考えられている（例えば、特許文献１）。
【特許文献１】特開２００６−２０３８２１号公報。
【発明の開示】
【発明が解決しようとする課題】
【０００５】
ところで、上記自動送出システムでは、ＨＤ及びＳＤごとに別々に番組サーバ及びスイッチャーが設けられているため、ＨＤ側の番組サーバ及びスイッチャーに空きポートがあっても、空きポートをＳＤ用のポートに割り当てることができない。また、設備コストもかかる。
【０００６】
そこで、この発明の目的は、ポートの数や番組サーバの動作状況を考慮することなく、要求されるサービスに応じて取り扱う放送番組データに対しポートを効率良く割り当てることが可能な放送サービス切替送出装置を提供することにある。
【課題を解決するための手段】
【０００７】
上記目的を達成するために、この発明に係る放送サービス切替送出装置は、放送番組データを記録媒体に記録し、この記録媒体に記録された放送番組データを再生する番組サーバと、取り扱う放送番組データの数の入力ポート及び放送に係わる複数のサービス分の出力ポートを有し、番組サーバから再生出力される放送番組データを入力し、サービス別の出力ポートへ切替導出する切替スイッチと、サービス指示入力に応じて、番組サーバと切替スイッチとの間の空き入力ポートを検出し、番組サーバから再生出力される放送番組データを空き入力ポート及び該当するサービスの出力ポートに割り当てるように番組サーバ及び切替スイッチを制御する制御手段とを備えるようにしたものである。
【０００８】
なお、切替スイッチの複数の入力ポートに番号が順に付されているとき、制御手段は、送出系の放送番組データを切替スイッチに入力する場合に、複数の入力ポートのうち最小番号に対応する入力ポートから最大番号に対応する入力ポートに至るまで徐々に使用可能な空きポートを検出して該空きポートを送出系の放送番組データに割り当てることを特徴とする。
【０００９】
さらに、制御手段は、プレビュー系の放送番組データを切替スイッチの入力する場合に、複数の入力ポートのうち最大番号に対応する入力ポートから最小番号に対応する入力ポートに至るまで徐々に使用可能な空きポートを検出して該空きポートをプレビュー系の放送番組データに割り当てることを特徴とする。
【００１０】
この構成によれば、番組サーバと切替スイッチとの間の入力ポート及び各サービス別の出力ポートは必要時にのみ割り当てられることになるため、少数の入力ポート及び出力ポートをそれよりも多数の放送番組データで共用することができ、出力ポートの有効利用率を高めることができる。
【００１１】
従って、番組サーバのポートを従来必要とされたポート（ＨＤ／ＳＤポート共に１０以上）に比べ、ＨＤポートの数及びＳＤポートの数を減らすことができる。また、上位系の編成業務では、ポートの数や番組サーバの動作状況を一切考慮せずに編成業務を行うことができる。さらに、保守や故障時には、イベントの変更が必要なくなり、これにより監視者の負荷を軽減できる。
【００１２】
制御手段は、サービス実行の終了時に、切替スイッチの該当する使用中の入出力ポートを開放することを特徴とする。
【００１３】
この構成によれば、サービス実行の終了時に、切替スイッチの使用中の入出力ポートが開放されるので、ポートの不要な使用を防止してポートの有効利用率を高めることができる。
【発明の効果】
【００１４】
以上詳述したようにこの発明によれば、ポートの数や番組サーバの動作状況を考慮することなく、要求されるサービスに応じて取り扱う放送番組データに対しポートを効率良く割り当てることが可能な放送サービス切替送出装置を提供することができる。
【発明を実施するための最良の形態】
【００１５】
以下、この発明の実施形態について図面を参照して詳細に説明する。  
図１は、この発明の一実施形態となる放送サービス切替送出装置の構成を示すもので、符号１１は番組サーバで、放送番組データとして使用する複数種類（ここでは、ＨＤ、ＳＤを示す）の映像信号をメモリ１１１に記録し、再生指示入力に応じて、メモリ１１１に記録された映像信号を再生する。この番組サーバ１１により再生された映像信号は、スイッチャー１２によりサービス別の出力ポートへ切替導出される。これら番組サーバ１１及びスイッチャー１２は、それぞれの動作が上位制御部１３により制御される。
【００１６】
上位制御部１３は、番組サーバ１１に対し、ユーザ指定入力操作による制御コマンドに従って任意の映像信号を送出させ、スイッチャー１２に対し、制御コマンドに従って任意の入出力ポート間を接続させる。
【００１７】
次に、上記構成における処理動作について説明する。図２は、以前に考えられたＨＤ映像信号及びＳＤ映像信号に対しサービス別に出力ポートを割り当てる例を示している。
【００１８】
番組サーバ１１のポート割り当ては、上位システムにて行われていたが、番組サーバ１１は、ＨＤ／ＳＤの映像種別によりポートが異なるため、１つのサービスでＨＤポート・ＳＤポートの２つのポートを必要としていた。
【００１９】
地上デジタル放送では、番組サーバ１１のポート数も送出対象のサービス分とプレビュー業務用で、ＨＤ・ＳＤポート共に１０以上のポートが必要となった。
【００２０】
また、保守・故障時には、上位系にてイベントの変更作業が必要となり、運用制限が発生していた。
【００２１】
そこで、本実施形態では、図３に示すように、上位制御部１３にて、ポートのアサイン機能を実行するために、番組サーバ１１のポートのステータスを常時取得して、ポートの使用可／不可を判断して、使用可能なポートを割り当てるようにしている。
【００２２】
図４は、送出系の映像信号に対し入力ポート及び出力ポートを割り当てる際の上位制御部１３の制御処理手順を示すフローチャートである。
【００２３】
番組サーバ１１に対しＨＤ映像信号の送出を行なう場合にオペレータは、オンエアーの１０分前に上位制御部１３をスタンバイし、送出を希望するＨＤ映像信号を上位制御部１３にて選択指定する。そうすると、上位制御部１３は、ＨＤの中で最も番号の小さいＨＤ１ポートから検出するように初期設定を行い（ステップＳＴ４ａ）、番組サーバ１１のＨＤ１ポートが使用中であるか否かの判断を行う（ステップＳＴ４ｂ）。ここで、ＨＤ１ポートが空きでない場合に（Ｎｏ）、上位制御部１３は、次のＨＤ２ポートの使用状況を検出し（ステップＳＴ４ｃ）、ＨＤ２ポートが使用中であるか否かの判断を行う。
【００２４】
上記ステップＳＴ４ｂにおいて、ＨＤ２ポートが空いている場合に（Ｙｅｓ）、上位制御部１３は、番組サーバ１１に対しＨＤ２ポートを割り当る（ステップＳＴ４ｄ）。
【００２５】
以後、オンエアーの終了時に、上位制御部１３は、ステップＳＴ４ｅからステップＳＴ４ｆに移行してここで使用中のＨＤ２ポート及びスイッチャー１２の該当するサービスの出力ポートを開放し、使用可能な状況にする。
【００２６】
図５は、プレビュー系の映像信号に対し入力ポート及び出力ポートを割り当てる際の上位制御部１３の制御処理手順を示すフローチャートである。
【００２７】
番組サーバ１１に対しＳＤ映像信号のプレビューを行なう場合にオペレータは、プレビューを希望するＳＤ映像信号を上位制御部１３にて選択指定する。そうすると、上位制御部１３は、ＳＤの中で最も番号の大きいＳＤｎポートから検出するように初期設定を行い（ステップＳＴ５ａ）、番組サーバ１１のＳＤｎポートが使用中であるか否かの判断を行う（ステップＳＴ５ｂ）。ここで、ＳＤｎポートが空きでない場合に（Ｎｏ）、上位制御部１３は、次のＳＤ（ｎ−１）ポートの使用状況を検出し（ステップＳＴ５ｃ）、ＳＤ（ｎ−１）ポートが使用中であるか否かの判断を行う。
【００２８】
上記ステップＳＴ５ｂにおいて、ＳＤ（ｎ−１）ポートが空いている場合に（Ｙｅｓ）、上位制御部１３は、番組サーバ１１に対しＳＤ（ｎ−１）ポートを割り当る（ステップＳＴ５ｄ）。
【００２９】
以後、プレビューの終了時に、上位制御部１３は、ステップＳＴ５ｅからステップＳＴ５ｆに移行してここで使用中のＳＤ（ｎ−１）ポート及びスイッチャー１２の該当するプレビューの出力ポートを開放し、使用可能な状況にする。
【００３０】
以上のように上記実施形態では、番組サーバ１１とスイッチャー１２との間の入力ポート及び各サービス別の出力ポートは必要時にのみ割り当てられることになるため、少数の入力ポート及び出力ポートをそれよりも多数のＨＤ映像信号及びＳＤ映像信号で共用することができ、入力ポート及び出力ポートの有効利用率を高めることができる。
【００３１】
従って、番組サーバ１１のポートを従来必要とされたポート（ＨＤ／ＳＤポート共に１０以上）に比べ、ＨＤポートを４、ＳＤポートを８に減少させることができる。また、上位系の編成業務では、ポートの数や番組サーバ１１の動作状況を一切考慮せずに編成業務を行うことができる。さらに、保守や故障時には、イベントの変更が必要なくなり、これにより監視者の負荷を軽減できる。
【００３２】
また、上記実施形態では、オンエアーの終了時またはプレビューの終了時に、スイッチャー１２の使用中の入出力ポートが開放されるので、ポートの不要な使用を防止してポートの有効利用率を高めることができる。
【００３３】
なお、上記実施形態では、ＨＤ映像信号及びＳＤ映像信号を取り扱う例について説明したが、放送番組を構成する音声信号やデータ信号等であっても同様に取り扱うことができる。
【００３４】
また、上記実施形態では、番組サーバ１１とスイッチャー１２との間の入力ポートをＳＤ用とＨＤ用とに分ける例について説明したが、ＳＤ用とＨＤ用とに分けずに共用するようにしてもよい。
【００３５】
その他、放送サービス切替送出装置の構成、映像信号に対し入力ポート及び出力ポートを割り当てる際の上位制御部の制御処理手順とその内容等についても、この発明の要旨を逸脱しない範囲で種々変形して実施できる。
【図面の簡単な説明】
【００３６】
【図１】この発明の一実施形態となる放送サービス切替送出装置の構成を示すブロック図。
【図２】以前に考えられたＨＤ映像信号及びＳＤ映像信号に対しサービス別に出力ポートを割り当てる例を示す図。
【図３】同実施形態において、ＨＤ映像信号及びＳＤ映像信号に対しサービス別に出力ポートを割り当てる例を示す図。
【図４】同実施形態において、送出系の映像信号に対し入力ポート及び出力ポートを割り当てる際の上位制御部の制御処理手順を示すフローチャート。
【図５】同実施形態において、プレビュー系の映像信号に対し入力ポート及び出力ポートを割り当てる際の上位制御部の制御処理手順を示すフローチャート。
【符号の説明】
【００３７】
１１…番組サーバ、１２…スイッチャー、１３…上位制御部、１１１…メモリ。
【図１】
2008283295.tif 000003
【図２】
2008283295.tif 000004
【図３】
2008283295.tif 000005
【図４】
2008283295.tif 000006
【図５】
2008283295.tif 000007